(57)【要約】【課題】ハンドバックなどに収容して持ち歩いた場合の誤動作を防止し、かつ、ハイアングル撮影をおこなう場合の操作性を向上させた電子カメラの提供。【解決手段】電子カメラの人体と対面する側に設けた人体検出手段と、電子カメラにおける電源投入時、前記人体検出手段からの信号を受けて電源投入を継続するか否かの判断をおこなう制御手段とを設け、該制御手段は、前記人体検出手段から所定時間、人体の検出信号が無かったときは電源をオフし、人体の検出信号があったときは電源投入を継続するようにしたことを特徴とする。【選択図】      図３
2005051456.tif 000002
【特許請求の範囲】
【請求項１】
表示部を有する操作部と、撮影用レンズを備えて前記表示装置に映像信号を送出する撮像部と、前記操作部と前記撮像部とを相対的に回動自在に連結する回動機構と、前記操作部側筐体の表示面側に設けた人体検出手段と、前記人体検出手段からの信号を受けて前記表示装置の表示を制御する表示制御手段とを備えたことを特徴とする電子カメラ。
【請求項２】
前記人体検出手段からの人体検出信号が無くなった状態で撮影がおこなわれ、その後人体検出信号が送られてきたとき、ハイアングル撮影がおこなわれたとして前記表示制御手段は前記人体検出信号が無かった期間におこなわれた撮影画像を再生するよう制御することを特徴とする請求項１に記載した電子カメラ。
【請求項３】
前記人体検出手段からの人体検出信号が無くなった状態で撮影がおこなわれたとき、ハイアングル撮影がおこなわれたとして前記表示制御手段は前記表示装置への表示文字を拡大するよう制御することを特徴とする請求項１または２に記載した電子カメラ。
【請求項４】
表示部を有する操作部と、撮影用レンズを備えて前記表示装置に映像信号を送出する撮像部と、前記操作部と前記撮像部とを相対的に回動自在に連結する回動機構と、前記操作部側筐体又は、前記撮像部側筐体に配置した人体検出手段と、前記操作部と前記撮像部の相対的回動を検出する回動検出手段と、前記人体検出手段からの信号及び前記回動検出手段からの信号を受けて前記表示装置の表示を制御する表示制御手段とを備えたことを特徴とする電子カメラ。
【請求項５】
前記回動検出手段からの信号が、前記操作部と前記撮像部の回動位置関係が所定範囲の回動位置であると共に、前記人体検出手段からの人体検出信号が無くなった状態で撮影がおこなわれたとき、ハイアングル撮影がおこなわれたとして、前記表示制御手段は前記人体検出信号が無かった期間におこなわれた撮影画像を再生するよう制御することを特徴とする請求項４に記載の電子カメラ。
【請求項６】
前記回動検出手段からの信号が、前記操作部と前記撮像部の回動位置関係が所定範囲の回動位置であると共に、前記人体検出手段からの人体検出信号が無くなった状態で撮影がおこなわれたとき、ハイアングル撮影がおこなわれたとして前記表示制御手段は前記表示装置への表示文字を拡大するよう制御することを特徴とする請求項４または５に記載した電子カメラ。
【請求項７】
電源投入時、前記人体検出手段からの信号を受けて電源投入を継続するか否かの判断をおこなう制御手段を備え、前記制御手段は、前記人体検出手段からの所定時間、人体の検出信号が無かったときは電源をオフに切り替え制御することを特徴とする請求項１から６のいずれかに記載の電子カメラ。
【請求項８】
表示装置を備えた電子カメラにおいて、
前記電子カメラの前記表示装置の表示面側に設けた人体検出手段と、電源投入時、前記人体検出手段からの信号を受けて電源投入を継続するか否かの判断をおこなう制御手段とを設け、前記制御手段は、前記人体検出手段から所定時間、人体の検出信号が無かったときは電源をオフに切り替え制御することを特徴とする電子カメラ。
【請求項９】
前記人体検出手段は、赤外線センサであることを特徴とする請求項１乃至３のいずれかに記載した電子カメラ。
【発明の詳細な説明】
【０００１】
【発明の属する技術分野】
本発明は、被写体の像を撮像素子で撮像し、記憶媒体に画像をデジタル的に記録するようにした電子カメラに関し、特に撮影者を検出して電子カメラの制御に用いるようにした電子カメラに関するものである。
【０００２】
【従来の技術】
ＣＣＤなどの撮像素子を備え、画像をデジタル的に記録できるようにした電子カメラは、従来のフィルムを用いたカメラのように現像、焼き付けなどが不用で撮った画像をすぐ見ることができ、しかもＣＣＤなどの撮像素子は、１素子当たりの画素数が年々増大しているにもかかわらず従来のフィルムよりも小さく、それによってカメラ自体を小型に構成できるという利点がある。
【０００３】
またこういった電子カメラには、小型化のため、撮影時以外はレンズを本体内に収納する沈胴式とし、ズームレンズの焦点距離変更に伴ってレンズを伸縮させるようにしたものや、カメラを液晶等の表示装置を備えた操作部と撮影用ズームレンズを備えた撮像部とに分割し、両ユニットを相対的に回転可能に連結することで、ズームレンズの焦点距離を変更した場合も光学系の全長が変化しないようにしたもの、特許文献１に示したように、液晶等の表示部を備えたカメラ本体に対して撮像レンズと撮像素子とを内蔵した撮像部を回転可能に構成し、撮影時には撮像部をカメラ本体に対して撮影したい方向へ回転させ、非撮影時には撮像部をカメラ本体内方向へ回転させて本体内に収納することができるようにしたものなどがある。
【０００４】
【特許文献１】
特許第２９３１９０７号公報（図１）
【０００５】
【発明が解決しようとする課題】
しかしながらこういった電子カメラは、小型であるが故にハンドバックなどに収容して持ち歩くことが多く、一緒に収容されているものがこういった電子カメラの電源ボタンを押してしまい、持ち歩いているだけでバッテリーが上がってしまったり、前記した沈胴式のカメラにおいてはレンズが繰り出されて他の物に当たる、カメラが布製のカメラ収容袋に収容されているために繰り出されるはずのレンズの繰り出し量が制限される、などの理由により、レンズそのものや駆動機構が壊れたりといった事故が生じることがあった。
【０００６】
またういったカメラを用い、例えば運動会などで前に大勢の人がいるところでトラックにいる人物を撮るため、腕を頭の上に伸ばしてハイアングルによる撮影をカンによっておこなうことがあるが、こういった場合撮影者は、うまく撮れているかどうかを撮影後に表示装置で確認するケースが多い。しかしながらこの場合、電子カメラを撮影モードから再生モードに切り替え、数ある撮影画像の中から今撮影した画像を選択して表示し、さらに撮影モードに戻して撮影を続行する、といった操作をする必要があり、画像を確認した結果うまく撮れていなかった、という場合、既にシャッターチャンスが無くなっていることが多い。
【０００７】
また、電子カメラを液晶等の表示装置を備えた操作部と撮影用ズームレンズを備えた撮像部とに分割し、両ユニットを相対的に回転可能に連結した電子カメラや、特許文献１のように、表示部を備えたカメラ本体に対して撮像レンズと撮像素子とを内蔵した撮像部を回転可能に構成した電子カメラにおいては、このように腕を頭の上に伸ばしてハイアングル撮影をおこなう場合、表示装置を見ながら撮影することも可能なカメラも提案されているが、この場合は目とカメラの距離が大きくなるから、表示されている文字が見にくい場合がある。
【０００８】
そのため本発明においては、ハンドバックなどに収容して持ち歩いた場合の誤動作を防止し、かつ、ハイアングル撮影をおこなう場合の操作性を向上させた電子カメラを提供することが課題である。
【０００９】
【課題を解決するための手段】
上記課題を解決するため本発明においては、
表示部を有する操作部と、撮影用レンズを備えて前記表示装置に映像信号を送出する撮像部と、前記操作部と前記撮像部とを相対的に回動自在に連結する回動機構と、前記操作部側筐体の表示面側に設けた人体検出手段と、前記人体検出手段からの信号を受けて前記表示装置の表示を制御する表示制御手段とを備えたことを特徴とする。
【００１０】
また、前記人体検出手段からの人体検出信号が無くなった状態で撮影がおこなわれ、その後人体検出信号が送られてきたとき、ハイアングル撮影がおこなわれたとして前記表示制御手段は前記人体検出信号が無かった期間におこなわれた撮影画像を再生するよう制御することを特徴とする
【００１１】
このように電子カメラを構成することにより、前記人体検出手段からの人体検出信号が無くなった状態で撮影がおこなわれ、その後人体検出信号が送られてきたとき、ハイアングル撮影がおこなわれたとして前記人体検出信号が無かった期間におこなわれた撮影画像を再生するよう制御することにより、ハイアングル撮影後の画像確認をスピーディにおこなうことができ、シャッターチャンスを逃すといったことが無くなる。すなわち人体が検出されなくなったということは、撮影者がカメラ保持を止めて単にテーブルなどに放置した場合と三脚などに取り付けた場合、及びハイアングル撮影などによる場合があるが、放置した場合は撮影動作がおこなわれず、三脚に取り付けた場合は記念写真などによるセルフタイマー撮影がおこなわれて通常の撮影動作とは異なり、ハイアングル撮影のみは通常のシャッター押下動作があるからハイアングル撮影であることが簡単にわかる。そのため前記したように、人体検出手段からの人体検出信号が無くなった状態で撮影がおこなわれ、その後人体検出信号が送られてきたときは、ハイアングル撮影がおこなわれたとして撮影画像を自動的に再生することにより、うまく撮れているかの確認をすぐにおこなうことができるから、うまく撮れていない場合はすぐに次の撮影動作をおこなうことができ、シャッターチャンスを逃すことが少なくなって電子カメラの操作性が非常に良くなる。
【００１２】
また、前記人体検出手段からの人体検出信号が無くなった状態で撮影がおこなわれたとき、ハイアングル撮影がおこなわれたとして前記表示制御手段は前記表示装置への表示文字を拡大するよう制御することにより、ハイアングル撮影でカメラが遠くにあっても文字が大きく表示され、文字が読みにくいといったことが解消される。
【００１３】
また本発明は、表示部を有する操作部と、撮影用レンズを備えて前記表示装置に映像信号を送出する撮像部と、前記操作部と前記撮像部とを相対的に回動自在に連結する回動機構と、前記操作部側筐体又は、前記撮像部側筐体に配置した人体検出手段と、前記操作部と前記撮像部の相対的回動を検出する回動検出手段と、前記人体検出手段からの信号及び前記回動検出手段からの信号を受けて前記表示装置の表示を制御する表示制御手段とを備えたことを特徴とする。
【００１４】
前記回動検出手段からの信号が、前記操作部と前記撮像部の回動位置関係が所定範囲の回動位置であると共に、前記人体検出手段からの人体検出信号が無くなった状態で撮影がおこなわれたとき、ハイアングル撮影がおこなわれたとして、前記表示制御手段は前記人体検出信号が無かった期間におこなわれた撮影画像を再生するよう制御することにより、ハイアングル撮影は通常頭の上にカメラをかざし、表示装置が見えるように撮像部と操作部の角度が所定角度以上になることが多いから、人体検出信号と操作部と撮像部の回動位置関係が所定範囲の回動位置である場合はハイアングル撮影であることが多く、その場合は前記と同様撮影画像を自動的に再生することにより、うまく撮れているかの確認をすぐにおこなうことができるから、うまく撮れていない場合はすぐに次の撮影動作をおこなうことができ、シャッターチャンスを逃すことが少なくなって電子カメラの操作性が非常に良くなる。
【００１５】
また、前記回動検出手段からの信号が、前記操作部と前記撮像部の回動位置関係が所定範囲の回動位置であると共に、前記人体検出手段からの人体検出信号が無くなった状態で撮影がおこなわれたとき、ハイアングル撮影がおこなわれたとして前記表示制御手段は前記表示装置への表示文字を拡大するよう制御することにより、ハイアングル撮影でカメラが遠くにあっても文字が大きく表示され、文字が読みにくいといったことが解消される。
【００１６】
また電源投入時、前記人体検出手段からの信号を受けて電源投入を継続するか否かの判断をおこなう制御手段を備え、前記制御手段は、前記人体検出手段からの所定時間、人体の検出信号が無かったときは電源をオフに切り替え制御することにより、通常撮影者はカメラを保持しながら電源釦を押下するから、電源投入時に人体検出手段が人体を検出できなかった場合は電源釦の誤操作である可能性が大きく、この場合は電子カメラの電源をオフすることによって電源を無駄に消費することが無く、また、前記したような沈胴式レンズの場合でも、無用にレンズが繰り出されることが無いから壊れるといった事故を防止することができる。
【００１７】
さらに表示装置を備えた電子カメラにおいて、前記電子カメラの前記表示装置の表示面側に設けた人体検出手段と、電源投入時、前記人体検出手段からの信号を受けて電源投入を継続するか否かの判断をおこなう制御手段とを設け、前記制御手段は、前記人体検出手段から所定時間、人体の検出信号が無かったときは電源をオフに切り替え制御することにより、電源を無駄に消費することが無く、また、前記したような沈胴式レンズの場合でも、無用にレンズが繰り出されることが無いから壊れるといった事故を防止することができる
【００１８】
そして前記人体検出手段は、赤外線センサとすることにより、安価に人体検出手段を構成することができる。
【００１９】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００２０】
図１は本発明になる電子カメラの一実施形態の全体図、図２は本発明になる電子カメラのレンズを被写体方向に向けた撮影状態を示した図、図３は本発明になる電子カメラの一実施形態の制御回路ブロック図、図４は本発明になる電子カメラの一実施形態における電源投入時とハイアングル撮影における動作フロー図である。
【００２１】
図中１００は本発明になる電子カメラ、１０１は撮像部、１０２は操作部、１０３は撮影レンズ窓、１０４はストロボなどの発光装置、１０５は液晶などを用いた表示装置、１０６はシャッター釦、１０７は電源釦、１０８は十字キーと決定キーで構成され、表示装置１０５に表示された機能や項目を選択するための選択決定キー、１０９は光学系ズーミングを指示するズームキー、１１０はカメラモードメニューのオン、オフを切り替えるメニュー釦、１１１は表示装置１０５の表示内容と照明のオン、オフを切り替えるディスプレイ釦、１１２は表示装置１０５の表示内容をシーンセレクト選択画面に切り替えるシーン釦、１１３は絞り優先モードやシャッター優先モード、高速で動く被写体を撮影するスポーツモード、近距離のものを撮影するマクロモード、ストロボの強制発光や発光停止等のストロボ制御、動画撮影、再生などのモードを選択するモードセレクト釦、１１４はスピーカ、１１５は赤外線センサなどを使った人体検出手段である。
【００２２】
図３において、１０は電子カメラ１００における撮像部１０１の撮像用光学系における焦点距離を変化させるためのズームレンズ、１１は同じく撮像用光学系の中に含まれる合焦（オートフォーカス：ＡＦ）用レンズ、１２はＣＣＤなどを用いた撮像素子、１３はズーム用レンズを移動させるカム機構などを駆動するズームモータ、１４は合焦（ＡＦ）用レンズを移動させるＡＦモータ、１５はズームモータ駆動用のドライバ回路、１６は合焦用のＡＦモータを駆動するＡＦモータドライバ回路、２０は撮像素子１２の駆動回路、２１は信号処理回路で、後述する表示装置ドライバ回路と共に表示制御手段を構成する。２２は各種の制御情報などを記憶しているメモリで、例えばハイアングル撮影がおこなわれているかどうかの判断や処理手順などが記憶してある。２３は外部機器とのデータや信号のやりとりをするためのＵＳＢなどの外部インターフェイス、２４は撮像された画像を記憶するためのメモリーカードなどの外部記憶装置、２５はこのメモリカード２４のインターフェイス、２６は表示装置１０５のドライバ回路、２７は被写体の光量や色温度などを測定する測光・調光ブロック、２８は発光装置としてのストロボとその駆動回路、２９は前記した選択決定キー１０８、ズームキー１０９、メニュー釦１１０、ディスプレイ釦１１１、シーン釦１１２、モードセレクト釦１１３などの各種釦からキー入力信号、３０は電源のオン状態など、電子カメラ１００の状態を外部に知らせるための外部ＬＥＤ表示装置の駆動回路、３１は赤外線センサなどを使った人体検出手段１１５のドライバ回路（センサドライバ）、３２は撮像部１０１と操作部１０２の相対的回動角度を検出するためのフォトリフレクタなどを使った光電素子である。
【００２３】
なお、以下の説明では本発明を、図１、図２に示したような電子カメラに適用した場合を例に説明して行くが、本発明は、前記特許文献１に示したような電子カメラや、沈胴式のズームレンズを備えた電子カメラなどにも適用できることは明かである。
【００２４】
本発明になる電子カメラ１００は、図１、図２に示したように、操作部１０２側に表示装置１０５と一般的な撮影用操作釦類１０６乃至１１３を配し、この操作部１０２にヒンジ機構などの回転機構で回動可能に接続された撮像部１０１の一端側には、撮影レンズ窓１０３、その操作部１０２側に発光装置用の窓１０４を配してある。そしてこの撮像部１０１の内部には、撮影レンズ窓１０３の背後に撮影用ズームレンズが、そしてその隣に、ズームレンズを構成するレンズ群を進退させるためのカム機構が配され、これらズームレンズとカム機構の奥側、すなわち撮影レンズ窓１０３と逆側に発光装置用コンデンサなどの電装部品が配されている。そして操作部１０２における撮影用操作釦類１０６乃至１１３は、Ｙシャツの胸ポケットやＧパンの臀部ポケットなどに収容した場合でも引っかかりや違和感を感じさせないよう、操作部１０２の外カバーの平面から突出しないように設けられ、さらに、シャッター釦１０６はカメラ１００を右手で保持したときに人差し指で操作可能とし、ズームキー１０９、選択決定キー１０８、メニュー釦１１０、モードセレクト釦１１３などは、同じく右手でカメラ１００を保持したとき、親指の届く範囲に配置して操作性を高めてある。
【００２５】
そして本発明になる電子カメラ１００は、表示装置１０５を常時視認できるよう撮影者の方に向けたまま、図２に示したように撮像部１０１を被写体の方に向けたり、逆に回動させて撮影レンズ窓１０３がカメラ操作者（自分）の方を向くようにし、自分撮りもできるようになっている。また本発明になる電子カメラ１００は、撮像部１０１の撮影レンズ窓１０３が設けられている側面の撮影レンズ窓１０３側の端から発光装置用の窓１０４側の端までの長さを、例えば左手人差し指の先端から第２関節近辺までの長さとし、かつ、発光装置窓１０４部分の光軸方向厚さを略人差し指の厚さとしてＲを付けて操作部１０２側に張り出して構成してある。このようにすることで、操作部１０２における表示装置１０５の右側に操作釦類を配置するためのスペースを作ることができ、小型でありながら、操作性の良い電子カメラを構成することができる。また撮影レンズ窓１０３からヒンジ機構の回動中心までの距離は、ヒンジ機構の回動中心から撮影レンズ窓１０３とは逆側の端までの距離より大きくとってあり、撮像部１０１の撮影レンズ窓１０３と発光装置窓１０４の部分を左手の人差し指と中指で挟んで回動させることにより、回動を容易にできると共に電子カメラ１００をしっかり保持できる。
【００２６】
最初に本発明になる電子カメラ１００の通常の撮影動作について説明すると、まず、電源釦１０７を押下することで図３のシステムコントローラ３３に信号が送られて電源がオンとなるから、前記したように親指で各操作釦を操作すると、これらの信号は図３のキー入力２９からシステムコントローラ３３に送られ、それぞれの釦（キー）で指示された内容がこのシステムコントローラ３３で実行される。すなわち、モードセレクト釦１１３によって選択された絞り優先モードやシャッター優先モードなどの撮影条件、高速で動く被写体を撮影するスポーツモード、近距離のものを撮影するマクロモード、ストロボの強制発光や発光停止等のストロボ制御、動画撮影、再生などのモードを選択すると、それぞれの選択結果に応じた動作がおこなわれ、また、必要に応じてメニュー釦１１０を押下して表示装置１０５に例えば画像のサイズ、撮影感度、測光方式などの各種メニューを表示させ、十字キーと決定キーで構成された選択決定キー１０８の十字キーで項目を選択し、中央の決定釦で決定することにより、これらの選択結果が同様にしてシステムコントローラ３３に送られて実行される。
【００２７】
そして、図２に示したように被写体の方に撮影レンズ窓１０３を向け、表示装置１０５に映し出された被写体を見ながら右手親指で撮像部１０１のズームキー１０９を操作し、所定の倍率を選択して構図を決定した後、右手人差し指でシャッター釦１０６を押下する。すると、これらの釦からの信号がシステムコントローラ３３、信号処理回路２１を介してズームモータドライバ１５、ＡＦモータドライバ１６に送られ、ズームモータ１３、ＡＦモータ１４が駆動されて所望倍率にまでズームされて合焦されると共に、測光・調光ブロック２７からの信号によって露出が決定され、内蔵されたＣＣＤなどの撮像素子１２によって撮影された画像が撮像素子駆動回路２０、信号処理回路２１、カードインターフェース２５を介してメモリーカード２４に送られて記録される。
【００２８】
こうして撮影が済んだら、モードセレクト釦１１３を操作して再生モードにすると、その信号がやはりシステムコントローラ３３から信号処理回路２１を介してメモリカードインターフェース２５、表示装置ドライバ２６に送られ、記録された画像が表示装置１０５に表示され、選択決定キー１０８における十字キーを操作することで順次撮影した画像を表示させることができる。なお、動画撮影モードの場合は、全く同様にして動画をメモリカード２４に記録し、シーン釦１１２によって必要なシーンを選択し、スピーカ１１４によって音声も同時に再生させることができる。
【００２９】
以上が本発明になる電子カメラ１００における通常の撮影動作であるが、本発明になる電子カメラ１００は、図４のフロー図におけるステップＳ２で電子カメラ１００を起動するため電源釦１０７を押下すると、前記したように、まず図３のシステムコントローラ３３に信号が送られて電源がオンとなる。そしてこのシステムコントローラ３３は、信号処理回路２１に信号を送ってセンサドライバ３１を駆動し、表示装置１０５側に設けられた赤外線センサなどで構成した人体検出手段１１５により、この表示装置１０５側に人がいるかどうかを検出する。すなわち、こういった電子カメラを使おうとする撮影者は、通常、図２に示したように表示装置１０５を自分の方に向け、撮像部１０１を回転させないか若しくは撮影窓１０３を被写体の方を向けて電源釦１０７を押下するから、人体から発せられた赤外線がこの人体検出手段１１５に向かい、撮影者が電源釦１０７を押下した場合は人体検出手段１１５によって赤外線が検出される。
【００３０】
そのため、この赤外線センサなどで構成した人体検出手段１１５から赤外線が検出された、すなわち人体が検出されたという信号が来ると、それが人体検出手段のセンサドライバ３１から信号処理回路２１を介してシステムコントローラ３３に送られ、システムコントローラ３３は、撮影者が電源釦１０７を押下したとしてステップＳ４に記したように電源投入状態を維持し、次のステップＳ５に進む。また、このステップＳ３で人体が検出されなかった場合、すなわち、電子カメラ１００がハンドバックなどに収容され、一緒に入っていた物で電源釦１０７が押されて電源が投入されたような場合、赤外線センサなどで構成した人体検出手段１１５は人体から発せられる赤外線を検出できないから、人体が検出されなかったとしてステップＳ１２に進み、電源をオフとしてステップＳ１３で終了する。
【００３１】
そして、電源投入が維持された場合、システムコントローラ３３はステップＳ５で同じようにして人体が検出されるかどうかを監視し、検出されている      場合はステップＳ１１で撮影待機、若しくは前記した撮影動作をおこない、このサイクルを繰り返す。
【００３２】
そしてこの状態で人体が検出されなくなった場合、次のステップＳ６に進む。すなわち、電源投入が維持された状態で人体検出手段１１５が人体を検出しなくなった場合は、前記したように撮影者がカメラ保持を止めて単にテーブルなどに放置した場合と三脚などに取り付けた場合、及びハイアングル撮影などによる場合がある。そのためシステムコントローラ３３は、これらの場合を見分けられるようこのステップＳ６でまず時間計測をおこない、次のステップＳ７で所定時間内に撮影動作、すなわちキー入力信号２９によりズームレンズ１０の駆動やモードセレクト釦１１３による撮影条件の選択、及びシャッター釦１０６の押下があったかどうかを検出する。そして、これらの動作が無かった場合は撮影者がカメラ保持を止めて単にテーブルなどに放置したと判断し、ステップＰ１２に進んで電源をオフし、終了する。また、セルフタイマーがセットされた場合はそれを検出し、ステップＳ１１を経由してステップＳ５に戻る。
【００３３】
そして所定時間内に撮影動作（すなわちズームレンズ１０の駆動やシャッター釦１０６の押下）があった場合、システムコントローラ３３はハイアングル撮影がおこなわれたとして次のステップＳ８に進み、人体が検出されたかどうかを判断する。すなわちハイアングル撮影は、通常数ショットの撮影をおこなうと撮影者はその撮影した画像を確認しようとするから、その確認に際しては必ず人体を検出することができる。そのためシステムコントローラ３３は、信号処理回路２１を介して人体検出手段１１５のドライバ３１からの信号を参照し、人体検出の信号が送られてこない場合はそのまま撮影動作を継続し、人体検出信号が送られてきた場合はステップＳ９に進んで撮影画像の再生をおこなう。そのためこのステップＳ９でシステムコントローラ３３は、ステップＳ７で撮影された画像を再生するよう信号処理回路２１を介してメモリカードインターフェイス２５に指示し、撮影した画像を読み出して表示装置ドライバ２６を介して表示装置１０５に表示する。
【００３４】
そして次のシステムコントローラ３３は、ステップＳ１０で再生が終了したかどうかを判断し、終了した場合はステップＳ１１に進む。すなわちこのように、ステップＳ４による電源投入継続時、人体検出手段１１５からの人体検出信号が無くなった状態で撮影がおこなわれ、その後人体検出信号が送られてきたときはハイアングル撮影がおこなわれたとして撮影画像を自動的に再生することにより、うまく撮れているかの確認をすぐにおこなうことができるから、うまく撮れていない場合はすぐに次の撮影動作をおこなうことができ、シャッターチャンスを逃すことが少なくなって電子カメラの操作性が非常に良くなる。
【００３５】
なお以上の説明では、単に電源の投入と人体の検出の場合を例に説明してきたが、前記したように本発明になる電子カメラに、操作部に対する相対的な回動角度を検出する装置を設け、それによって表示装置１０５への表示、すなわちハイアングルに伴う撮影画像の再生の制御行うようにしても良い。すなわち、ハイアングル撮影は通常頭の上にカメラをかざし、表示装置が見えるように撮像部と操作部の角度が所定角度以上になることが多いから、人体検出信号と操作部と撮像部の回動位置関係が所定範囲の回動位置である場合はハイアングル撮影であることが多く、その場合は前記と同様撮影画像を自動的に再生することにより、うまく撮れているかの確認をすぐにおこなうことができるから、うまく撮れていない場合はすぐに次の撮影動作をおこなうことができ、シャッターチャンスを逃すことが少なくなって電子カメラの操作性が非常に良くなる。
【００３６】
このように本発明によれば、通常撮影者はカメラ１００を保持しながら電源釦１０７を押下するから、電源投入時に人体検出手段１１５が人体を検出できなかった場合は電源釦１０７の誤操作である可能性が大きく、この場合は電子カメラ１００の電源をオフすることによって電源を無駄に消費することが無く、また、前記したような沈胴式レンズの場合でも、無用にレンズが繰り出されることが無いから壊れるといった事故を防止することができる。
【００３７】
そして制御手段は、電源投入継続時、前記人体検出手段からの人体検出信号が無くなった状態で撮影がおこなわれ、その後人体検出信号が送られてきたとき、ハイアングル撮影がおこなわれたとして前記人体検出信号が無かった期間におこなわれた撮影画像を再生するよう制御することにより、ハイアングル撮影後の画像確認をスピーディにおこなうことができ、シャッターチャンスを逃すといったことが無くなって電子カメラの操作性が非常に良くなる。
【００３８】
また制御手段は電源投入継続時、前記人体検出手段１１５からの人体検出信号が無くなった状態で撮影がおこなわれたとき、ハイアングル撮影がおこなわれたとして前記表示装置１０５への表示文字を拡大するよう制御することにより、ハイアングル撮影でカメラが遠くにあっても文字が大きく表示され、文字が読みにくいといったことが解消される。
【００３９】
【発明の効果】
以上種々述べてきたように本発明によれば、電源投入時に人体検出手段が人体を検出できなかった場合は電源釦の誤操作であるとして電源をオフするようにしたから、電源を無駄に消費することが無く、また、前記したような沈胴式レンズの場合でも、無用にレンズが繰り出されることが無いから壊れるといった事故を防止することができる。また、人体が検出されて電源投入が継続されている時、前記人体検出手段からの人体検出信号が無くなった状態で撮影がおこなわれ、その後人体検出信号が送られてきたとき、ハイアングル撮影がおこなわれたとして前記人体検出信号が無かった期間におこなわれた撮影画像を再生するよう制御することにより、ハイアングル撮影後の画像確認をスピーディにおこなうことができ、シャッターチャンスを逃すといったことが無くなって操作性の良い電子カメラを提供できる。
【図面の簡単な説明】
【図１】本発明になる電子カメラの一実施形態の全体図である。
【図２】本発明になる電子カメラのレンズを被写体方向に向けた撮影状態を示した図である。
【図３】本発明になる電子カメラの一実施形態の制御回路ブロック図である。
【図４】本発明になる電子カメラの一実施形態における電源投入時とハイアングル撮影における動作フロー図である。
【符号の説明】
１０  ズームレンズ
１１  合焦（オートフォーカス：ＡＦ）用レンズ
１２  撮像素子
１３  ズームモータ
１４  ＡＦモータ
１５  ズームモータドライバ回路
１６  ＡＦモータドライバ回路
２０  撮像素子駆動回路
２１  信号処理回路
２２  メモリ
２３  インターフェイス
２４  外部記憶装置（メモリーカード）
２５  メモリカードインターフェイス
２６  表示装置ドライバ回路
２７  測光・調光ブロック
２８  ストロボと駆動回路
２９  キー入力信号
３０  外部ＬＥＤ表示装置駆動回路
３１  人体検出手段のセンサドライバ
３２  光電素子
【図１】
2005051456.tif 000003
【図２】
2005051456.tif 000004
【図３】
2005051456.tif 000005
【図４】
2005051456.tif 000006